(57)【要約】【課題】動的摩擦効果が起こらず、比例様式で調整することができる遮断弁を提供すること。【解決手段】本発明は、流体入口と、流体出口と、その間に配置された流体チャンバとを有する流体システムを有する弁ハウジングを有する遮断及び／又は制限弁に関し、流体チャンバは、遮断形状部を備え、遮断形状部に関して隔膜によって境界付けされており、隔膜は、タペットの流体チャンバ（８）から離れた側でタペットに連結され、隔膜をタペットの移動によって、遮断形状部に向かって押し付けられ、かつそれによって持ち上げることができるようになっており、タペットは、弁ハウジングの空間部内に自由に浮遊した状態で配置される。【選択図】図１
2019504254.tif 000002
【特許請求の範囲】
【請求項１】
流体入口（６）と、流体出口（７）と、その間に配置された流体チャンバ（８）とを有する流体システムを有する弁ハウジング（２）を有する遮断及び／又は制限弁（１）であって、前記流体チャンバ（８）は、遮断形状部（９）を含み、前記遮断形状部（９）に関して隔膜（１１）によって境界付けされており、
前記隔膜（１１）は、タペット（１２）の前記流体チャンバ（８）から離れた側でタペット（１２）に連結され、前記タペット（１２）の移動によって、前記遮断形状部（９）に向かって押し付けられ、そして前記遮断形状部（９）の近くで持ち上げることができ、前記タペット（１２）は、前記前記弁ハウジング（２）の空間部内に自由に浮遊した状態で配置される、
ことを特徴とする、遮断及び／又は制限弁。
【請求項２】
機械的ばね（１３）が、前記タペット（１２）と前記弁ハウジング（２）との間に配置され、前記機械的ばねは、前記弁ハウジング（２）に対して前記タペット（１２）に予荷重を与え、そのゼロ位置において、前記隔膜（１１）を前記遮断形状部（９）に向かって押し付けるか又は前記隔膜（１１）を前記遮断形状部（９）から解放するようになっている、請求項１に記載の遮断及び／又は制限弁。
【請求項３】
前記遮断及び／又は制限弁は、前記タペット（１２）に作用する空気圧アクチュエータをさらに有し、前記空気圧アクチュエータは、前記タペット（１２）を前記機械的ばね（１３）の前記予荷重に抗して前記ゼロ位置から外に移動させることができ、結果として前記隔膜（１１）を前記遮断形状部（９）から解放すること又は前記隔膜を前記遮断形状部（９）に向かって押し付けることができるように構成される、請求項２に記載の遮断及び／又は制限弁。
【請求項４】
前記空気圧アクチュエータは、膨張チャンバ（２３）に隣接するか又は膨張チャンバ（２３）を取り囲むアクチュエータ膜（２０）を含み、前記膨張チャンバ（２３）は、空気圧ラインの接続用のインタフェース部（２４）を有する、請求項３に記載の遮断及び／又は制限弁。
【請求項５】
前記タペット（１２）は、ピン形状であり、好ましくは、２つの反対側に配置された端部（１４、１９）間に配置された半径方向のフランジ（１８）を有する、請求項１から４のいずれか１項に記載の遮断及び／又は制限弁。
【請求項６】
前記タペット（１２）は、一端（１４）において前記隔膜（１１）に連結され、他端において前記アクチュエータ膜（２０）に連結され、さらに前記機械的ばね（１３）は、前記フランジ（１８）の前記隔膜（１１）に対向する側において前記タペット（１２）に係合することができるようにされる、請求項５に記載の遮断及び／又は制限弁。
【請求項７】
前記タペット（１２）は、一端（１４）において前記隔膜（１１）に連結され、さらに前記機械的ばね（１３）は、前記フランジ（１８）の前記隔膜（１１）から離れた側において前記タペット（１２）に係合し、前記フランジ（１８）の前記隔膜（１１）に対向する側は、前記アクチュエータ膜（２０）のための支持面を形成することができるようにされる、請求項５に記載の遮断及び／又は制限弁。
【請求項８】
前記弁ハウジング（２）は、互いに取り外し可能に固定される２つの部品（３、４）を含み、第１の部品（３）は、前記タペット（１２）用の前記空間部を画定し、第２の部品（４）は、前記流体チャンバを画定し、前記隔膜（１１）は、前記２つの部品（３、４）の間に配置される、請求項１から７のいずれか１項に記載の遮断及び／又は制限弁。
【請求項９】
請求項１から８のいずれか１項に記載の遮断及び／又は制限弁を少なくとも１つ有する血液治療装置であって、好ましくは透析装置であることを特徴とする、血液治療装置。
【請求項１０】
前記遮断及び／又は制限弁は、透析液回路又は体外血液回路に開口する計量ライン内に配置され、前記遮断及び／又は制限弁は、好ましくは、前記体外血液回路へ開口する凝固抑制剤の溶液のための計量ライン内に配置される、請求項９に記載の血液治療装置。
【発明の詳細な説明】
【技術分野】
【０００１】
本発明は、遮断及び／又は制限弁、並びにこのような弁を少なくとも１つ有する血液治療装置に関する。
【背景技術】
【０００２】
流体の正確な計量は透析において最も重要である。透析液の流れなどの大きな流体流れは、バランス調整システムによって搬送されることが多い。体外血流などの中規模の流体流れは、ホースローラーポンプによって搬送されることが多い。この点において最大約１０％の流量誤差が認められている。
【０００３】
しかしながら、少量の活性薬剤溶液の計量、例えば、体外血液回路に入る抗凝血性溶液の計量に関して計量精度に対する要求が高まっている。この点において、流量誤差は、どの場合においても５％未満となるべきである。従来技術において、この目的のためにホースローラーポンプ又は注射器ポンプが使用されていることが多い。対照的に、従来技術において、膜ポンプは、望ましくない流量パルスが生じるのであまり使用されていない。
【０００４】
流量パルスは、実際の膜ポンプにおいて、理想的には膜ポンプの２つのチャンバの間に存在する膜が、その弾性、その変形、及びその初期張力によって圧力バランスに影響を与えることに起因している。静的な場合では、関係式ＰPNEU−ＰHYD＝ＰMEMが空気圧式膜ポンプに適用される。流体圧力ＰHYDは、調整圧力ＰPNEUに比例して変動しないので、膜圧ＰMEMは、一定ではなく、ポンプの調整における干渉係数を表す。この干渉係数の影響は、流体圧力ＰHYD及び調整圧力ＰPNEUが低い場合に相対的に大きい。これは、例えば、膜ポンプを使用して小さな流量を生成する場合に当てはまる。
【０００５】
しかしながら、何よりも、抗凝固剤としてのクエン酸塩の投与において一定の流れを維持する必要がある。
【０００６】
一般的に、流れを滑らかにするために、ポンプの下流側で遮断及び／又は制限弁を使用することができる。しかしながら、この種類の公知の弁は、弁タペットの応答遅延及び非比例挙動などの動的摩擦効果（「スティックスリップ」（"stick-slip"）現象）が制御に応答して発生する可能性があるので、制限的にこのような用途にだけ適している。
【発明の概要】
【発明が解決しようとする課題】
【０００７】
この背景技術に対して、本発明の目的は、動的摩擦効果が起こらず、比例様式で調整することができる遮断弁を提供することである。
【課題を解決するための手段】
【０００８】
この背景技術に対して、本発明は、流体入口と、流体出口と、その間に配置された流体チャンバとを有する流体システムを有する弁ハウジングを有する遮断及び／又は制限弁に関する。流体チャンバは、遮断形状部を備え、隔膜の遮断形状部に対向する側によって境界付けされている。本発明による弁において、隔膜は、流体チャンバから離れた側でタペットに連結され、タペットの移動によって隔膜を遮断形状部上へ押し付けることができ、遮断形状部の近くで持ち上げることができるようになっている。この点において、本発明によると、タペットは、弁ハウジングの空間部内に自由に浮遊した状態で配置される。
【０００９】
タペットを自由に浮遊した状態で支持することは、タペットの移動の際、タペットの表面がシールなどの弁ハウジングの固定要素に沿って摺動せず、固定要素に対して擦れない、摩擦なしの支持であると理解されたい。
【００１０】
実施形態において、機械的ばねは、タペットと弁ハウジングとの間に配置され、機械的ばねは、自由に浮遊した状態のタペットのために軸受を形成可能であり、弁ハウジングに対してタペットに予荷重を与え、ゼロ位置において、隔膜を遮断形状部に向かって押し付けるようになっている。さらに、弁は、タペットに作用するアクチュエータを有することができ、アクチュエータは、タペットを機械的ばねの予荷重に抗してゼロ位置の範囲外に移動させることができ、結果として、隔膜を遮断形状部から解放することができるように構成されている。
【００１１】
代替実施形態において、機械的ばねは、タペットと弁ハウジングとの間に配置され、機械的ばねは、自由に浮遊した状態のタペットのための軸受を形成可能であり、弁ハウジングに対してタペットに予荷重を与え、ゼロ位置において、隔膜を遮断形状部から解除するようになっている。さらに、弁は、タペットに作用するアクチュエータを有することができ、アクチュエータは、タペットを機械的ばねの予荷重に抗してゼロ位置の外に移動させることができ、結果として、隔膜を遮断形状部に向かって押し付けることができるように構成されている。
【００１２】
実施形態において、機械ばねは、圧縮ばねとして作用するコイルばねであり、例えば、金属又はセラミックコイルばねである。
【００１３】
実施形態において、アクチュエータは、空気圧アクチュエータである。もしくは、機械的又は油圧アクチュエータを設けることもできる。
【００１４】
実施形態において、空気圧アクチュエータは、膨張チャンバに隣接するか又は膨張チャンバを取り囲むアクチュエータ膜を備える。膨張チャンバは、空気圧ラインの接続用のインタフェース部を有する。アクチュエータ膜は、アクチュエータをタペットに向かって押し付けることができ、結果としてアクチュエータの作動状態でタペットに作用することができるように配置及び構成されている。
【００１５】
実施形態において、タペットは、ピン形状であり、好ましくは、２つの反対側に配置された端部の間に配置された半径方向のフランジを有する。
【００１６】
実施形態において、タペットは、一端において隔膜に、他端においてアクチュエータ膜に連結されている。さらに、この実施形態において、機械的ばねは、フランジの隔膜に対向する側にてタペットに係合することができるようにされる。
【００１７】
代替実施形態において、タペットは一端において隔膜に連結される。さらに、この実施形態において、機械的ばねは、フランジの隔膜から離れた側においてタペットに係合し、フランジの隔膜に対向する側は、アクチュエータ膜のための支持面を形成することができるようにされる。
【００１８】
実施形態において、弁ハウジングは、互いに取り外し可能に固定される２つの部品を含み、第１の部品は、タペット用の空間部を画定し、第２の部品は、流体チャンバを画定し、隔膜は、２つの部品の間に配置されている。この点において同様に、隔膜は、実施形態において第１の部品から除去することができる。この実施形態における第１の部品は、流体経路と接触しておらず、結果的に流体による汚染から保護される再利用可能なユニットである。交換可能な隔膜及び交換可能な再利用可能なユニットである第２の部品のみが、流体と接触する。
【００１９】
隔膜及び／又はアクチュエータ膜は、例えば、円形シリコーンディスク又はシリコーンプレートとすることができる。
【００２０】
弁は、正確に１つの流体入口及び正確に１つの流体出口を有する双方向遮断及び／又は制限弁とすることができる。
【００２１】
上記の背景技術に対して、本発明は、さらに、本発明による少なくとも１つの遮断及び／又は制限弁を有する血液治療装置に関する。血液治療装置は、好ましくは透析装置である。
【００２２】
実施形態において、弁は、透析液回路又は体外血液回路に開口する計量ライン内に配置される。弁は、好ましくは、体外血液回路内へ開口する、ヘパリン又はクエン酸塩などの凝固抑制剤の溶液のための計量ライン内に配置される。
【００２３】
本発明のさらなる詳細及び利点は図で説明する実施形態から生じる。これらは図に示される。
【図面の簡単な説明】
【００２４】
【図１】本発明による常開型遮断及び／又は制限弁の実施形態である。
【図２】本発明による常閉型遮断及び／又は制限弁の実施形態である。
【発明を実施するための形態】
【００２５】
図１は、全体的に参照番号１が付与された本発明による遮断及び／又は制限弁を示す。
【００２６】
弁は、再利用可能な部品（「再利用可能なユニット」）３と、これに取り外し可能に固定される使い捨て部品（「使い捨てユニット」）４とを含む弁ハウジング２を有する。使い捨てユニット４は、取り外し可能なピン５を使用して再利用可能なユニット３に固定されている。さらに、再利用可能なユニット３はインサート３ａを備え、インサート３ａは、機械プレート３ｂのカットアウト部（切り取り部）に配置され、閉鎖プレート３ｃによってカバーされている。
【００２７】
使い捨てユニット４は、流体入口６、流体出口７、及びその間に配置された流体チャンバ８を有する流体経路を備える。流体チャンバ内には遮断形状部９が形成され、カラーの様式で円形チャンバ入口開口部の周りに延在し、流体チャンバ８に突出するウェブである。流体流れは、矢印１０で示されている。
【００２８】
流体チャンバ８は、シリコーンプレートの形態の隔膜１１の遮断形状部９に対向する側によって境界付けされている。シリコーンプレートは、円形チャンバ入口開口部と同心に配置された流体チャンバ８の壁部の円形開口部をカバーする。
【００２９】
シリコーンプレート１１は、インサート３ａと機械プレートとの間で再利用可能なユニット３に取り外し可能に挿入され、再利用可能なユニット３のどの部位も流体経路と接触しないように、流体チャンバ８の全ての側面で使い捨てユニット４と同一平面で閉鎖する。このようにして、再利用可能なユニット３は、流体による汚染から保護され、交換可能なシリコーンプレート１１及び交換可能で再利用可能なユニット４のみが流体と接触する。
【００３０】
シリコーンプレート１１の後方で再利用可能なユニット３内に空間部が形成され、空間部の内部には、シリコーンプレート１１をゆがませるためのピン状タペット１２が配置されている。タペットは、流体チャンバに対向する端部領域１４（「遮断側」）と流体チャンバから離れた端部領域１９（「アクチュエータ側」）との間に半径方向円周フランジ１８を備える。タペット１２の中心軸は、チャンバ入口開口部の中心を通る。タペット１２は、空間部内で中心軸に沿って直線的に往復移動することができ、この点において流体チャンバに向かって、及び流体チャンバから離れる方向に移動することができる。タペット１２は、例えば、金属のコイルばね１３によって空間部の壁部の間で自由に浮遊した状態に保持され、タペット１２及びコイルばね１３の軸は、互いに同心である。コイルばね１３は、フランジ１８の流体チャンバに対向する側でタペット１２に係合し、その際に圧縮ばねとして作用する。コイルばねは、他端において使い捨てユニット３の突出部１７上に位置する。フランジ１８の流体チャンバ側に配置されたピン状タペット本体のセクションは、コイルばね１３内に延在する。
【００３１】
タペット１２の遮断側１４は、保持フランジ１６を備え、シリコーンプレート１１の空間部側にはタペット１２の遮断側１４のための受け部１５が成型されており、この受け部は、保持フランジ１６に対応するアンダーカットを有する。このようにして、引張力及び圧縮力は、遮断形状部９と合致した領域においてタペット１２からシリコーンプレート１１に伝達できる。この構成により、一方で、流体チャンバの方向に向けられたタペット１２の（閉鎖）移動で、シリコーンプレート１１は遮断形状部９に向かって押し付けられ、これにより弁１の作動における流体流れの制限又は遮断が行われ、他方で、流体チャンバから離れるように向けられたタペット１２の（開放）移動で、シリコーンプレート１１は遮断形状部９の近くで持ち上げられ、これにより弁１の作動における流体流れの開放又は増大が行われる。
【００３２】
カバープレート３ｃとインサート３ａとの間に狭持された円形シリコーンディスクの形態のアクチュエータ膜２０は、シリコーンプレート１１に対向する側の端部で空間部を境界付ける。シリコーンディスク２０は、シリコーンプレート１１と平行に配置され、シリコーンディスク２０の中心は、タペット１２の軸に位置する。
【００３３】
シリコーンディスク２０もまた、タペット１２に連結され、正確にはタペットのアクチュエータ側１９に連結される。この目的のために、タペット１２のアクチュエータ側１９も、保持フランジ２２を備え、同様にシリコーンディスク２０の空間部側に受け部２１が成型され、この受け部は、保持フランジ２２に対応するアンダーカットを有する。従って、シリコーンディスク２０からタペット１２に圧縮力を伝達することができ、タペットをシリコーンディスク２０の中心領域内に保持することができる。この配置により、空間部へ押し込まれるシリコーンディスク２０の変形で、タペット１２は、ばね１３の圧縮力に抗するように差し向けられかつ流体チャンバの方向への（閉鎖）移動を行う。
【００３４】
膨張チャンバ２３が、シリコーンディスク２０とカバープレートとの間に形成されている。膨張チャンバ２３内に流体圧力が生じると、シリコーンディスク２０の風船形の拡大（従って、空間部へ押し込まれる変形）が生じる。接続部２４は、制御システム、例えば空気圧制御システムへの接続のために閉鎖プレート３ｃに組み込まれている。さらに、空気圧接続部は、タペット１２の軸に位置している。
【００３５】
膨張チャンバ２３内に過剰な圧力が生じた場合、シリコーンディスク２０は、タペット１２を押圧し、ばね１３から生じる圧縮力に抗してタペット１２を流体チャンバ８の方向に移動させ、それによって、シリコーンプレート１１は、遮断形状部９の方向に押圧され、これによって、流体経路の制限又は閉鎖が達成される。この過剰な圧力が降下した場合、ばね１３は、タペット１２を膨張チャンバ２３に押し付け、それによって、シリコーンプレート１１は、遮断形状部９から持ち上げられ、これによって、流体経路の開放又は拡大が達成される。ばね１３は、タペット１２を流体チャンバ８から持ち上げ、従って、シリコーンプレート１１を遮断形状部９から持ち上げ、図２に示す弁は、ゼロ位置（制御システムの故障時、「無電流」に当てはまる）で開放される。
【００３６】
図２は、本発明による遮断及び／又は制限弁の別の実施形態を示し、同一の部品又は同等機能の部品は、図１の場合のように同じ参照番号によって示されている。
【００３７】
図１に示す弁に対する主たる相違は、図２に示す遮断及び／又は制限弁がゼロ位置（制御システムの故障時、「無電流」に当てはまる）で閉鎖される点である。
【００３８】
構造設計に関しては、図２の常閉弁は、機械的圧縮ばね１３が、フランジ１８の流体チャンバ側ではなく、流体チャンバから離れた側でタペットに作用する点で図１の常開弁とは異なる。従って、図２の実施形態において、圧縮ばね１３の基部は、使い捨てユニット３の空間部内の突出部１７ではなく、カバープレート３ｃに対して支持されている。対照的に、この場合、膨張チャンバ２３及びアクチュエータ膜２０を備える空気圧アクチュエータは、フランジ１８のアクチュエータ側１９ではなく、流体チャンバ側に作用する。従って、保持フランジ２２とともにアクチュエータ側の特別な構成を不要とすることができる。
【００３９】
この場合の空気圧アクチュエータは、図１の実施形態の場合のシリコーンディスクを備えておらず、むしろタペット１２を半径方向に取り囲み、フランジ１８の流体チャンバ側で空間部内に配置される膨張式ホース２０を備える。フランジの方向に開口するリング状の受け部２５が、このホース２０を収容するために、図１による実施形態において突出部１７がばね１３を支持するために配置される空間部の領域内に設けられている。
【００４０】
過剰な圧力がホース２０によって取り囲まれた膨張チャンバ２３で生じた場合、ホースは膨張してタペットのフランジを圧迫し、その結果、フランジは、ばね１３から生じる圧縮力に抗して閉鎖プレート３ｃの方向に押圧され、それによって、シリコーンプレート１１は、遮断形状部９から持ち上げられ、これによって、流体経路の開放又は拡大が達成される。この過剰な圧力が降下した場合、ばね１３は、次に、タペット１２を流体チャンバ８の方向に押圧し、これによって、流体経路の制限又は閉鎖が達成される。ばね１３はタペット１２を流体チャンバ８の方向に押圧し、従って、シリコーンプレート１１を遮断形状部９の方に押圧するので、図２に示す弁は、ゼロ位置（制御システムの故障時、「無電流」に当てはまる）で閉鎖される。
【００４１】
制御システム、例えば空気圧制御システムのための膨張チャンバ２３に対する接続部２４は、ホース２０に半径方向に係合する。
【００４２】
図２は、ゼロ位置の弁１を示しておらず、例示目的で、ホース２０の膨張がないにもかかわらずタペット１２がゼロ位置から持ち上げられている位置の弁１を示す（作動中には発生しない）。
【００４３】
両方の実施形態に関する本発明の中心的な態様は、タペット１２が、空間部内で自由に浮遊するように配置され、タペット１２の表面が、シールリングなどのシールリップに接触しないことである。圧縮ガスを利用する空気制御で非常に顕著である可能性のある、圧力増大に応じたタペットの遅延反応及び非比例挙動などの動的摩擦効果（スティックスリット現象）が回避される。本発明による弁１は、厳密に比例様式で空気圧的に調整することができる。この比例性により、２つの状態（閉鎖、開放）の間を区別するだけではなく、この弁が絞り機構の機能を引き受けることもできる。
【図１】
2019504254.tif 000003
【図２】
2019504254.tif 000004
【国際調査報告】
2019504254.tif 000005
2019504254.tif 000006
2019504254.tif 000007
2019504254.tif 000008
2019504254.tif 000009
2019504254.tif 000010